(57)【要約】      （修正有）【課題】浴室内の汚れを自動的に除去して、居住者による清掃を必要としない浴室暖房乾燥機を提供する。【解決手段】本体ケース６には、水道水の供給に基づいて電解水を生成する電解槽１３と、電解槽から供給される電解水を浴室内に噴霧するノズルユニット５と、電解槽からノズルユニットへの電解水の供給を開閉するノズル用電磁弁１５と、操作装置（リモコン等）による浴室清掃モードの設定時に、ノズル用電磁弁１５を開いて電解水をノズルユニット５に供給する制御部を備えた。【選択図】図４
2018054167.tif 000002
【特許請求の範囲】
【請求項１】
浴室の天井面に設置される本体ケースと、前記本体ケースの浴室側に設けられるフロントパネルと、前記フロントパネルに設けられ、前記浴室内の空気を吸込む吸込み口と、前記フロントパネルに設けられ、前記吸込み口から吸込んだ空気を浴室内に吹出す吹出し口と、前記本体ケース内に設けられ、操作装置により浴室暖房モードあるいは乾燥モードが設定されたとき、前記吸込み口から吸込んだ空気を前記吹出し口に循環させる循環用ファン装置と、前記本体ケース内に設けられ、前記浴室暖房モードあるいは乾燥モードが設定されたとき、前記吸込み口から吹出し口に循環する空気を加熱する熱交換器を備えた浴室暖房乾燥機において、
前記本体ケースには、
水道水の供給に基づいて電解水を生成する電解槽と、
前記電解槽から供給される電解水を浴室内に噴霧するノズルユニットと、
前記電解槽から前記ノズルユニットへの前記電解水の供給を開閉するノズル用電磁弁と、
前記操作装置による浴室清掃モードの設定時に、前記ノズル用電磁弁を開いて前記電解水を前記ノズルユニットに供給する制御部と
を備えたことを特徴とする浴室暖房乾燥機。
【請求項２】
前記ノズルユニットには、
前記電解水を浴室の床面に向かって噴霧する第一のノズルと、
前記第一のノズルの周囲において等間隔に配置され、前記電解水を前記浴室の壁面に向かって噴霧する複数の第二のノズルと
を備えたことを特徴とする請求項１に記載の浴室暖房乾燥機。
【請求項３】
前記第一のノズルの開口方向と前記第二のノズルの開口方向との狭角を６０度としたことを特徴とする請求項２に記載の浴室暖房乾燥機。
【請求項４】
前記制御部には、前記操作装置の操作に基づいて、前記浴室の広さに応じた前記電解水の噴霧時間を選択する浴室設定モードを設定するための第一の設定手段を備えたことを特徴とする請求項１乃至３のいずれか１項に記載の浴室暖房乾燥機。
【請求項５】
前記電解槽には、該電解槽に供給する水道水の温度を温めて供給するプレート式熱交換器を接続し、前記制御部には、前記操作装置の操作に基づいて、前記プレート式熱交換器で温められた水道水を前記電解槽に供給するとともに、前記電解水の噴霧時間を短縮する高速洗浄モードを設定するための第二の設定手段を備えたことを特徴とする請求項１乃至４のいずれか１項に記載の浴室暖房乾燥機。
【発明の詳細な説明】
【技術分野】
【０００１】
本発明は、入浴時に浴室内を暖房し、あるいは入浴後は浴室内を乾燥させる機能を備えた浴室暖房乾燥機に関する。
【背景技術】
【０００２】
天井面等に浴室暖房乾燥機を備えた浴室では、気温が低い場合に浴室内が暖房され、入浴後は浴室内を速やかに乾燥させて、壁面等でのカビの発生を抑制し、あるいは洗濯物を乾燥できるようにした機能を備えたものがある。
【０００３】
このような浴室暖房乾燥機では、浴室内に温風を供給して暖房及び乾燥を行う温風供給装置や浴室内の空気を浴室外に排出する換気装置等を備えている。
【０００４】
特許文献１には、浴室暖房機にミストノズルを備えたミストサウナ装置が開示されている。
【先行技術文献】
【特許文献】
【０００５】
【特許文献１】特開２００８−１８８３１８号公報
【発明の概要】
【発明が解決しようとする課題】
【０００６】
上記のような浴室暖房乾燥機を備えた浴室では、入浴者の皮脂や石鹸カス等が壁面や床面に飛び散り、その汚れが壁面や床面にカビやぬめりを発生させる。浴室内を換気し、乾燥させても、カビやぬめりを除去することは困難である。従って、定期的に浴室内を清掃する必要があり、その清掃作業が煩雑である。
【０００７】
本発明は、上記課題を解決するためになされたものであって、その目的は、浴室内の汚れを自動的に除去して、居住者による清掃頻度を少なくした浴室暖房乾燥機を提供することにある。
【課題を解決するための手段】
【０００８】
上記課題を解決するために、浴室暖房乾燥機は、浴室の天井面に設置される本体ケースと、前記本体ケースの浴室側に設けられるフロントパネルと、前記フロントパネルに設けられ、前記浴室内の空気を吸込む吸込み口と、前記フロントパネルに設けられ、前記吸込み口から吸込んだ空気を浴室内に吹出す吹出し口と、前記本体ケース内に設けられ、操作装置により浴室暖房モードあるいは乾燥モードが設定されたとき、前記吸込み口から吸込んだ空気を前記吹出し口に循環させる循環用ファン装置と、前記本体ケース内に設けられ、前記浴室暖房モードあるいは乾燥モードが設定されたとき、前記吸込み口から吹出し口に循環する空気を加熱する熱交換器を備えた浴室暖房乾燥機において、前記本体ケースには、水道水の供給に基づいて電解水を生成する電解槽と、前記電解槽から供給される電解水を浴室内に噴霧するノズルユニットと、前記電解槽から前記ノズルユニットへの前記電解水の供給を開閉するノズル用電磁弁と、前記操作装置による浴室清掃モードの設定時に、前記ノズル用電磁弁を開いて前記電解水を前記ノズルユニットに供給する制御部を備えた。
【発明の効果】
【０００９】
本発明の浴室暖房乾燥機によれば、浴室内の汚れを自動的に除去して、居住者による清掃頻度を少なくすることができる。
【図面の簡単な説明】
【００１０】
【図１】浴室暖房乾燥機が設置される浴室を示す斜視図。
【図２】浴室暖房乾燥機を示す斜視図。
【図３】浴室暖房乾燥機の主要部を示す斜視図。
【図４】浴室暖房乾燥機の主要部を示す正面図。
【図５】ノズルユニットを示す断面図。
【図６】ノズルユニットを示す底面図。
【図７】浴室暖房乾燥機の電気的構成を示すブロック図。
【図８】制御部による浴室清掃モード時の動作を示す説明図。
【発明を実施するための形態】
【００１１】
以下、浴室暖房乾燥機の一実施形態を図面に従って説明する。この実施形態の浴室暖房乾燥機は、浴室の壁面あるいは床面のぬめりあるいはカビを除去するために有用な遊離塩素濃度の高い電解水を壁面及び床面に噴霧する機能を備えたものである。
【００１２】
図１に示すように、浴室暖房乾燥機１は浴室の天井面にフロントパネル２を露出させた状態で設置される。フロントパネル２の一側には浴室内の空気を吸い込む吸込み口３が設けられ、フロントパネル２の中央部には吸い込まれた空気を浴室内へ吹出す吹出し口４が設けられている。
【００１３】
また、フロントパネル２の他側には、浴室内に電解水を噴出し、あるいはミストを噴出するノズルユニット５が配設されている。
【００１４】
図２に示すように、浴室暖房乾燥機１の本体ケース６の一側には、換気用ファン装置７が設けられている。換気用ファン装置７は、浴室内の空気を浴室外に排出する場合に動作して、フロントパネル２の吸込み口３から吸入した空気を排気口８に接続されるダクトを介して屋外に排出するようになっている。なお、本体ケース６内には換気用ファン装置７の作動時に吸込み口３から吸い込まれる空気を換気用ファン装置７に案内する換気用ダンパーが設けられている。
【００１５】
図３及び図４に示すように、本体ケース６内において吸込み口３の上方には循環用ファン装置９が配設されている。循環用ファン装置９は、浴室内を暖房するとき、あるいは乾燥させるとき作動して、浴室内の空気を吸込み口３から本体ケース６内に吸込み、案内ダクト１０を経て吹出し口４から吹出すようになっている。
【００１６】
吸込み口３と循環用ファン装置９との間には、熱交換器１１が配設される。熱交換器１１には、屋外のボイラー装置等から熱動弁２２を介して温水が供給され、吸込み口３から吸い込まれる空気を温めるように動作する。
【００１７】
本体ケース６内において、吹出し口４の上方からノズルユニット５の上方にかけて、プレート式熱交換器１２と電解槽１３が配設されている。
【００１８】
図３に示すように、ノズルユニット５の上方において、本体ケース６の側面には給水口１４が開口されている。そして、給水口１４に供給される水道水が給水管を介してプレート式熱交換器１２に供給される。
【００１９】
また、プレート式熱交換器１２にはボイラー装置等から温水がプレート式熱交換器用電磁弁２６を介して供給される。そして、プレート式熱交換器１２に温水が供給されると、水道水と温水との間で熱交換が行われて、水道水が温められる。
【００２０】
プレート式熱交換器１２に供給された水道水は、電解槽１３に供給される。電解槽１３は、制御部１９から電圧を供給されることにより水道水を電解して、水道水に含まれる塩素を遊離させることにより、遊離塩素濃度の高い電解水を生成する。
【００２１】
電解槽１３で生成された電解水はノズル用電磁弁１５を介してノズルユニット５に供給される。そして、浴室内の清掃時には、ノズル用電磁弁１５が開放されてノズルユニット５から浴室内に電解水が噴霧される。
【００２２】
ノズル用電磁弁１５には、電解水以外に、温水と水道水が供給され、必要に応じてノズルユニット５に供給可能となっている。
【００２３】
図３において、本体ケース６の後部には収容ボックス１６が形成され、その収容ボックス１６内には、この浴室暖房乾燥機１を電気的に制御する制御部１９が収納されている。
【００２４】
図５及び図６に示すように、ノズルユニット５はフロントパネル２から浴室内に露出されるほぼ半球状のノズルケース１７に合計で７個のノズル１８ａ〜１８ｇが設けられている。ノズルケース１７の中央に位置するノズル１８ａ（第一のノズル）は、鉛直方向下方に向かって開口されている。
【００２５】
ノズル１８ａの周囲にはノズルケース１７の周方向等間隔に６個のノズル１８ｂ〜１８ｇ（第二のノズル）が設けられ、各ノズル１８ｂ〜１８ｇの開口方向とノズル１８ａの開口方向との間の角度が６０度となるように設定されている。従って、ノズル１８ｂ〜１８ｇはノズル１８ａの周囲で斜め下方に向かって開口されている。
【００２６】
図７は、浴室暖房乾燥機１の電気的構成を示す。収容ボックス１６に収容される制御部１９は、リモコン２４から出力される操作信号に基づいて、浴室暖房モード、乾燥モード、浴室清掃モード、ミスト発生モード、換気モード等の各モードで浴室暖房乾燥機１を運転する。
【００２７】
制御部１９には、吸込み温度センサー２０が接続されている。吸込み温度センサー２０は、吸込み口３の近傍に設置され、吸込み口３から循環用ファン装置９に吸い込まれる空気の温度を検出して制御部１９に出力する。
【００２８】
熱交換器センサー２１は、熱交換器１１に供給される温水の温度を検出して制御部１９に出力する。熱動弁２２は、外部ボイラー装置から供給される温水を熱交換器１１に供給するか否かを制御する弁であり、熱交換器１２の近傍に設置される。
【００２９】
そして、制御部１９は、浴室暖房動作時あるいは乾燥動作時に、吸込み温度センサー２０及び熱交換器センサー２１の検出温度に基づいて、熱交換器１１で所用温度の温風を生成できるように、熱動弁２２を開閉制御する。
【００３０】
循環用ファン装置９の動作は制御部１９により制御され、浴室暖房モード、乾燥モード等で運転される。
【００３１】
吹出しルーバー用モーター２３の動作は制御部１９により制御され、浴室暖房モードあるいは乾燥モードで吹出し口４に設けられるルーバーを回動させて、吹出し口４から吹出される温風の吹出し方向を調整可能となっている。
【００３２】
電解槽１３の動作は制御部１９により制御され、浴室清掃モード時に電圧供給され動作して電解水を生成し、ノズルユニット５に供給する。
【００３３】
ノズル用電磁弁１５はノズルユニット５の近傍に設けられ、その動作は制御部１９により制御される。そして、浴室清掃モード時に電解槽１３で生成された電解水をノズルユニット５に供給する。また、ミスト発生モードでは外部ボイラー装置から供給される温水と給水口１４から給水される水道水を熱交換させ、水道水を温水にしてノズルユニット５に供給する。
【００３４】
プレート式熱交換器用電磁弁２６は制御部１９により制御され、浴室清掃モード時において、特に高速洗浄モードが選択されたときや吸込み温度センサー２０が低温を検知したとき開かれて、本体ケース６外のボイラー装置から供給される温水をプレート式熱交換器１２に供給する。プレート式熱交換器１２では、給水口１４から供給される水道水と温水との間で熱交換が行われ、温められた水道水が電解槽１３に供給される。
【００３５】
ミストセンサー２７は、ノズルユニット５の近傍に設置され、ミスト発生モード時にノズルユニット５に供給される温水の温度や浴室清掃モード時にノズルユニット５に供給される電海水の温度を検出して、制御部１９に出力する。制御部１９は、温水の温度があらかじめ設定された温度、例えば６０度以上であれば、ノズル用電磁弁１５を作動させて、温水をノズルユニット５に供給する。
【００３６】
換気用ダンパーモーター２８の動作は制御部１９により制御され、換気モード時や乾燥モード時に換気用ダンパーを作動させて、吸込み口３と換気用ファン装置７とを連通させ、吸込み口３から吸込んだ空気を換気用ファン装置７に案内するようになっている。
【００３７】
換気用ファン装置７は制御部１９により制御され、換気モード時や乾燥モード時に動作して、浴室内の空気を吸込み口３から吸込み、浴室外へ排出するように動作する。
【００３８】
図８に示すように、制御部１９はリモコン２４の操作により、浴室の広さに応じて電解水の噴霧時間を調整する機能を備えている。すなわち、制御部１９には、操作装置の操作に基づいて、浴室の広さに応じた電解水の噴霧時間を選択する浴室設定モードを設定するための第一の設定手段を備えている。
【００３９】
第一の浴室設定モードは、比較的狭い浴室に対応する設定であり、電解水噴霧時間はｔ１に設定されている。第二の浴室設定モードは、第一の浴室設定モードより広い浴室に対応する設定であり、電解水噴霧時間ｔ２が第一の浴室設定モードより長く設定されている。
【００４０】
そして、いずれの設定モードの場合にも、電解水の噴霧に続いて、ノズルユニット５から水が一定時間噴霧されて壁面及び床面が洗い流され、その後乾燥モードに移行して、一定時間吹出し口４から温風が吹出される。
【００４１】
また、プレート式熱交換器１２により電解槽１３に供給する水の温度を上昇させると、電解槽１３で生成される電解水の遊離塩素濃度が高くなる。遊離塩素濃度が高い電解水は、洗浄力及び殺菌力が高いため、電解水の噴霧時間を短くしても、十分な洗浄効果が得られる。
【００４２】
そこで、制御部１９には、リモコン２４等の操作装置の操作に基づいて、プレート式熱交換器１２で温められた水道水を電解槽１３に供給するとともに、電解水の噴霧時間を短縮する高速洗浄モードを設定するための第二の設定手段を備えている。
【００４３】
リモコン２４で高速洗浄モードが設定されると、プレート式熱交換器１２に温水が供給されて熱交換が行われ、電解槽１３に供給される水道水の温度が引き上げられる。そして、短縮された電解水噴霧時間ｔ３で遊離塩素濃度が高い電解水が噴霧されて、高速洗浄が行われる。
【００４４】
次に、上記のように構成された浴室暖房乾燥機１の作用を説明する。
【００４５】
リモコン２４の操作により、浴室暖房モードあるいは乾燥モードが選択されると、制御部１９は、熱交換器１１に温水を供給し、循環用ファン装置９を作動させる。すると吸込み口３から吸込まれた空気が熱交換器１１で温められて吹出し口４から吹出される。
【００４６】
浴室清掃モードが選択されると、給水口１４からプレート式熱交換器１２に供給される水道水が電解槽１３に供給され、遊離塩素濃度が高い電解水が生成される。そして、電解水がノズル用電磁弁１５を経てノズルユニット５に供給され、ノズルユニット５の各ノズル１８ａ〜１８ｇから壁面及び床面に向かって噴霧される。
【００４７】
また、高速洗浄モードが選択されると、外部ボイラー装置からプレート式熱交換器用電磁弁２６を経てプレート式熱交換器１２に温水が供給される。そして、プレート式熱交換器１２では外部ボイラー装置から供給される温水と給水口１４から供給される水道水との間で熱交換が行われ、電解槽１３に供給される水道水の温度が引き上げられる。
【００４８】
この結果、電解槽１３で生成される電解水の遊離塩素濃度がさらに高くなり、その電解水がノズルユニット５に供給される。
【００４９】
浴室内に電解水が噴霧されると、浴室の壁面及び床面に付着している雑菌やカビが洗い流される。そして、電解水があらかじめ設定された時間噴霧された後、一定時間水が噴霧され、次いで乾燥モードに移行して吹出し口４から温風が吹出され、浴室内が乾燥される。
ここでの噴霧時間は、事前に浴室などに多く生息する雑菌やカビを用いて、実験的に制御部１９に記憶させておく。例えばミストセンサー２７にて検知された電解水の温度が２０℃の場合であれば、電解槽１３にて生成される電解水の遊離塩素濃度は１〜２ｐｐｍ程度のため雑菌やカビを洗い流すためには１０分以上の噴霧が必要であり、電解水噴霧時間ｔ１は１０分以上の例えば１２分と記憶をさせておく。このように電解水噴霧時間ｔ１は電解水の温度により、あらかじめ噴霧時間を変えておき、電解水温度が変化した場合でも菌やカビを洗い流すのに十分な効果が得られるようにする。
【００５０】
ミスト発生モードが選択されると、外部ボイラー装置からプレート式熱交換器用電磁弁２６を経てプレート式熱交換器１２に温水が供給される。そして、プレート式熱交換器１２では外部ボイラー装置から供給される温水と給水口１４から供給される水道水との間で熱交換が行われ水道水の温度が引き上げられた状態にしてノズル用電磁弁１５を経てノズルユニット５に温水が供給される。そして、ノズルユニット５の各ノズル１８ａ〜１８ｇからミストが噴霧されて、浴室をミストサウナ室として利用可能となる。
【００５１】
換気モードが選択されると、制御部１９の制御により換気用ダンパーモーター２８が作動して吸込み口３が換気用ファン装置７に連通する状態となる。そして、換気用ファン装置７が作動して、吸込み口３から吸込まれた浴室内の空気が屋外に排出される。
【００５２】
上記のような浴室暖房乾燥機では、次に示す効果を得ることができる。
【００５３】
（１）浴室清掃モードでは、浴室の天井面に設けられたノズルユニット５から電解水を噴霧して、浴室内の壁面及び床面に付着している雑菌及びカビ等を洗い流すことができる。
【００５４】
（２）電解水を下方に向かって噴霧するノズル１８ａと、ノズル１８ａの周囲に等間隔に設けられ、電解水を斜め下方に向かって噴出するノズル１８ｂ〜１８ｇにより、浴室内の壁面及び床面に電解水を噴霧することができる。
【００５５】
（３）ノズル１８ａとノズル１８ｂ〜１８ｇの開口方向の狭角を６０度に設定したので、浴室内の壁面の上部まで電解水を噴霧することができる。
【００５６】
（４）本体ケース６内の電解槽１３で電解水を生成することができる。
【００５７】
（５）浴室の広さに応じて、電解水の噴霧時間を調整することができる。従って、浴室の広さに関わらず、十分な清掃効果を得ることができる。
【００５８】
（６）電解槽１３に供給する水道水の温度を引き上げて、電解槽１３で遊離塩素濃度の高い電解水を生成することができる。従って、遊離塩素濃度の高い電解水をノズルユニット５から噴霧することにより、清掃効果を維持しながら電解水の噴霧時間を短縮し、電解水の使用量を削減することができる。
【００５９】
なお、上記実施形態は、以下のように変更してもよい。
【００６０】
・ノズル１８ａの開口方向とノズル１８ｂ〜１８ｇの開口方向との狭角は、６０度以外の角度としてもよい。
【００６１】
・ノズル１８ａの周囲のノズルは、６個を超える数としてもよい。
【産業上の利用可能性】
【００６２】
以上のように、本発明にかかる浴室暖房乾燥機は、壁面及び床面に電解水を噴霧して清掃する機能を備えているので、浴室以外の壁面及び床面を清掃する装置にも上記構成を適用可能である。
【符号の説明】
【００６３】
１    浴室暖房乾燥機
２    フロントパネル
３    吸込み口
４    吹出し口
５    ノズルユニット
６    本体ケース
７    換気用ファン装置
８    排気口
９    循環用ファン装置
１０    案内ダクト
１１    熱交換器
１２    プレート式熱交換器
１３    電解槽
１４    給水口
１５    ノズル用電磁弁
１６    収容ボックス
１７    ノズルケース
１８ａ〜１８ｇ    ノズル
１９    制御部
２０    吸込み温度センサー
２１    熱交換器センサー
２２    熱動弁
２３    吹出しルーバー用モーター
２４    リモコン
２６    プレート式熱交換器用電磁弁
２７    ミストセンサー
２８    換気用ダンパーモーター
【図１】
2018054167.tif 000003
【図２】
2018054167.tif 000004
【図３】
2018054167.tif 000005
【図４】
2018054167.tif 000006
【図５】
2018054167.tif 000007
【図６】
2018054167.tif 000008
【図７】
2018054167.tif 000009
【図８】
2018054167.tif 000010